(57)【特許請求の範囲】
【請求項１】
上端部が主ワイヤーに懸吊された筒体と、
補助ワイヤーに懸吊され、前記筒体内を上下に移動するシャックルと、
前記筒体に固定され、前記シャックルの上下動を係止する係止部材と、
前記筒体の下端部に当接するレバー部を爪部側に有し、前記シャックルのピンを回動軸として回動する複数のフックとを備え、
前記各フックの爪部の向きは互い違いになっていることを特徴とする吊り治具。
【請求項２】
前記フックに重りが付設されていることを特徴とする請求項１に記載の吊り治具。
【請求項３】
前記レバー部を側方から挟持する振れ止め材が、前記筒体の下端部に取り付けられていることを特徴とする請求項１または２に記載の吊り治具。
【発明の詳細な説明】
【技術分野】
【０００１】
本発明は、フックを回動させて吊り荷を取り外すことのできる吊り治具に関する。
【背景技術】
【０００２】
クレーン等による荷の運搬作業では、ワイヤーまたはロープの先端に取り付けたフックに、荷の吊手を引っ掛けて吊り上げ、目的地において、フックから吊手を取り外すことになる。この際、単にフックを下降させ、吊手を緩めただけでは、フックから吊手が容易に外れないため、通常、作業員がフックから吊手を取り外している。しかし、目的地が高所や水中など危険を伴う場所である場合は、作業員がフックから吊手を取り外す作業は極めて困難な作業になる。
【０００３】
そこで、例えば特許文献１には、ワイヤーまたはロープの先端に取り付けたフックの背部に紐を取り付け、当該紐をワイヤーまたはロープに設けたリングに通し、紐の引張りによってフックをワイヤーまたはロープの先端部を支点として半回転させ、物体の吊手を容易に取り外すことができるようにした吊上げ用フックの考案が開示されている。
また、特許文献２には、上記と同様の考案であって、ストッパ付フックとしたワーク吊り上げ用フックの考案が開示されている。
【特許文献１】実開昭５７−２５８８７号公報
【特許文献２】実用新案登録第３１１５５７１号公報
【発明の開示】
【発明が解決しようとする課題】
【０００４】
しかしながら、特許文献１や特許文献２に記載された吊上げ用フックの場合、荷を吊った状態で、フックの背部に取り付けた紐を誤って引っ張ってしまうと、フックが半回転して吊り荷が落下してしまうという安全上の重大な問題がある。特許文献２の考案では、フックにストッパが設けられているが、フックが半回転した場合、滑り落ちる吊り荷の重量に抗してストッパのみで吊り荷を保持するのは不可能であり、人為ミスによる吊り荷の落下を防止することはできない。
【０００５】
本発明は、上述する問題点に鑑みてなされたもので、荷を吊った状態で人為ミスによりフックが回動して吊り荷が落下するということが無い安全でシンプルな機構の吊り治具を提供することを目的とする。
【課題を解決するための手段】
【０００６】
上記目的を達成するため、本発明に係る吊り治具は、上端部が主ワイヤーに懸吊された筒体と、補助ワイヤーに懸吊され、前記筒体内を上下に移動するシャックルと、前記筒体に固定され、前記シャックルの上下動を係止する係止部材と、前記筒体の下端部に当接するレバー部を爪部側に有し、前記シャックルのピンを回動軸として回動する複数のフックとを備え、前記各フックの爪部の向きは互い違いになっていることを特徴としている。
【０００７】
ここで、「爪部」は、フック先端の爪のことであり、「爪部側」という用語は、フックの背部側に対する用語として使用している。
本発明では、補助ワイヤーを巻き上げてシャックルを上昇させると、筒体の下端部に当接しているレバー部が筒体の自重によって下方に押圧される。これにより、フックが、シャックルのピンを回動軸としてフックの背部側に向けて回動し、フックから荷の吊手を容易に取り外すことができる。
一方、補助ワイヤーを巻き下げてシャックルを下降させると、フックの自重により、フックが爪部側に向けて回動し、吊手をフックに引っ掛けることができる。荷を吊り上げると、フックに作用する荷重はシャックルに伝達され、次いで、シャックルを係止する係止部材を介して筒体から主ワイヤーに伝達される。
【０００８】
荷を吊った状態で、誤って補助ワイヤーを巻き上げた場合は、筒体の自重に比べて荷のほうが遙かに重いため、レバー部が筒体を上方に押し上げることになり、フックが背部側に向けて回動することはない。本発明は、筒体の自重を利用してレバー部を下方に押圧し、フックを背部側に向けて回動させるものであり、筒体の自重より荷のほうが重い場合、フックは回動しない。従って、吊り荷がフックから外れ落ちることはない。
【０００９】
また、本発明に係る吊り治具では、前記フックの自重を増加させるため、前記フックに重りを付設してもよい。
【００１０】
また、本発明に係る吊り治具では、前記レバー部を側方から挟持する振れ止め材が、前記筒体の下端部に取り付けられていてもよい。
本発明では、レバー部を挟持する振れ止め材を筒体の下端部に設けることで、フックが回動軸の方向に移動せず、吊手をフックに容易に引っ掛けることができる。
【発明の効果】
【００１１】
本発明に係る吊り治具は、上端部が主ワイヤーに懸吊された筒体内を補助ワイヤーに懸吊されて上下に移動するシャックルと、筒体の下端部に当接するレバー部を爪部側に有し、シャックルのピンを回動軸として回動するフックとからなるシンプルな機構の吊り治具であり、荷を吊った状態で、誤って補助ワイヤーを巻き上げた場合、レバー部が筒体を上方に押し上げるため、フックが背部側に向けて回動せず、フックから吊り荷が外れ落ちることが無い。
【発明を実施するための最良の形態】
【００１２】
以下、本発明の実施形態について図面に基づいて説明する。
本発明に係る吊り治具は、移動式クレーンや天井クレーンなどのクレーンの主ワイヤーおよび補助ワイヤーの先端に取り付けて、荷の吊手を容易に取り外すことができるようにした装置である。
【００１３】
［第一の実施形態］
本実施形態による吊り治具１は、上端部が主ワイヤー３に懸吊された筒体１０と、補助ワイヤー４に懸吊され、筒体１０内を上下に移動する逆Ｕ字状のシャックル１２と、筒体１０の下端部に当接するレバー部１５を爪部１４ａ側に有し、シャックル１２の両端部を連結するピン１３を回動軸として回動するフック１４とから概略構成されている（図１参照）。
【００１４】
筒体１０は平断面視矩形状とされ、筒体１０の上端部に取り付けられた取っ手１０ａを介して主ワイヤー３に懸吊されている。また、筒体１０の内面上端部には、補助ワイヤーが挿通するＵ形部材１０ｂが固着されている。
【００１５】
逆Ｕ字状とされたシャックル１２の頂部には、取っ手１２ａが取り付けられており、取っ手１２ａを介して補助ワイヤー４に懸吊されている。
また、棒材からなる係止部材１１がシャックル１２を水平方向に挿通し、当該係止部材１１の両端部はそれぞれ筒体１０に固定されている。
【００１６】
図２に示すように、Ｊ字状の爪部１４ａとされたフック１４は、シャックル１２のピン１３が挿通するリング部１６と、リング部１６の直下から爪部１４ａ側に突出する棒状のレバー部１５とを備えている。ピン１３に装着されるフック１４の数は３本とされ、各フック１４の爪部１４ａの向きは互い違いになっている。
なお、フック１４の自重を増加させるため、フック１４の背部１４ｂに重りＷを付設しても良い（図２（ｂ）参照）。
【００１７】
次に、上記構成からなる吊り治具１の動作について図３および図４を用いて説明する。
図３に示すように、補助ワイヤー４を巻き上げてシャックル１２を上昇させると、筒体１０の下端部に当接しているレバー部１５が筒体１０によって下方に押圧される。これにより、フック１４が、シャックル１２のピン１３を回動軸として背部１４ｂ側に向けて回動し、フック１４は開いた状態となる。
一方、図４に示すように、補助ワイヤー４を巻き下げてシャックル１２を下降させると、フック１４の自重により、フック１４が爪部１４ａ側に向けて回動し、フック１４は閉じた状態となる。荷を吊り上げると、フック１４に作用する荷重は、シャックル１２から、シャックル１２を係止する係止部材１１を経由して筒体１０から主ワイヤー３に伝達される。即ち、荷は、主ワイヤー３によって吊り上げられて搬送される。
【００１８】
荷を吊った状態で、誤って補助ワイヤー４を巻き上げた場合は、筒体１０の自重に比べて荷のほうが遙かに重いので、レバー部１５が筒体１０を上方に押し上げることになり、フック１４は背部１４ｂ側に向けて回動せず、吊り荷がフック１４から外れ落ちることはない。
【００１９】
［第二の実施形態］
本実施形態による吊り治具２では、フック２４の数が１本とされており、フック２４がシャックル２２のピン２３の方向に移動するおそれがある。これを防止するため、フック２４のレバー部２５を挟持するように、一対の板材からなる振れ止め材２７，２７が筒体２０の外面下端部に取り付けられている（図５参照）。
【００２０】
本実施形態による吊り治具２では、振れ止め材２７，２７でレバー部２５を挟持しているので、フック２４がピン２３の方向に移動せず、吊手をフック２４に容易に引っ掛けることができる。
【００２１】
本発明に係る吊り治具１，２は、上端部が主ワイヤー３に懸吊された筒体１０，２０内を、補助ワイヤー４に懸吊されて上下に移動するシャックル１２，２２と、筒体１０，２０の下端部に当接するレバー部１５，２５を爪部側に有し、シャックル１２，２２のピン１３，２３を回動軸として回動するフック１４，２４とからなるシンプルな機構であり、低コストで製造することができる。
また、荷を吊った状態で、誤って補助ワイヤー４を巻き上げた場合には、レバー部１５，２５が筒体１０，２０を上方に押し上げるため、フック１４，２４が回動せず、フック１４，２４から吊り荷が外れることが無い。
【００２２】
以上、本発明の実施形態について説明したが、本発明は上記の実施形態に限定されるものではなく、その趣旨を逸脱しない範囲で適宜変更可能である。例えば、上記の実施形態では、筒体は箱状としたが、円筒状など他の形状でも良いことは言うまでもない。また、上記の実施形態では、フックの数は３本または１本としたが、２本あるいは４本以上でも良い。要は、本発明において所期の機能が得られればよいのである。
【図面の簡単な説明】
【００２３】
【図１】本発明に係る吊り治具の第一の実施形態の斜視図である。
【図２】フックの図である。
【図３】本発明に係る吊り治具の第一の実施形態を示し、（ａ）はフックが開いている状態における正断面図、（ｂ）は同側断面図である。
【図４】本発明に係る吊り治具の第一の実施形態を示し、（ａ）はフックが閉じている状態における正断面図、（ｂ）は同側断面図である。
【図５】本発明に係る吊り治具の第二の実施形態を示し、（ａ）は正面図、（ｂ）はＡ−Ａ矢視断面図である。
【符号の説明】
【００２４】
１，２  吊り治具
３  主ワイヤー
４  補助ワイヤー
１０，２０  筒体
１１，２１  係止部材
１２，２２  シャックル
１３，２３  ピン
１４，２４  フック
１４ａ  爪部
１４ｂ  背部
１５，２５  レバー部
１６  リング部
２７  振れ止め材
Ｗ  重り
【要約】
【課題】荷を吊った状態で人為ミスによりフックが回動して吊り荷が落下するということが無い安全でシンプルな機構の吊り治具を提供する。
【解決手段】吊り治具１は、上端部が主ワイヤー３に懸吊された筒体１０と、補助ワイヤー４に懸吊され、筒体１０内を上下に移動する逆Ｕ字状のシャックル１２と、筒体１０の下端部に当接するレバー部１５を爪部１４ａ側に有し、シャックル１２の両端部を連結するピン１３を回動軸として回動するフック１４とから概略構成されている。筒体１０は、その上端部に取り付けた取っ手１０ａを介して主ワイヤー３に懸吊され、逆Ｕ字状とされたシャックル１２は、その頂部に取り付けられた取っ手１２ａを介して補助ワイヤー４に懸吊されている。また、棒材からなる係止部材１１がシャックル１２を水平方向に挿通し、当該係止部材１１の両端部はそれぞれ筒体１０に固定されている。
【選択図】図１【図１】
0004030022.tif 000002
【図２】
0004030022.tif 000003
【図３】
0004030022.tif 000004
【図４】
0004030022.tif 000005
【図５】
0004030022.tif 000006